(57)【要約】      （修正有）【課題】スプーンを水中で高速に動かした際に発生するスプーンの激しい回転を防止すると同時に、通常のリトリーブ時にはスプーンの大きな動きを実現するルアーを提供する。【解決手段】ボディに波状の部分を設ける。特に、波の形状として山１と谷２がおよそ点対称となるような形状である場合に、高速運動時のスプーンの回転を止める効果は大きい。山１の部分と谷２の部分で、回転の力を相殺するものと思われる。高速リトリーブ時にスプーンが回転しない。それと同時に、通常のリトリーブ時には、左右に大きく揺れる運動、または方向を反転させながらの回転運動をして魚を誘う。ボディを細みにした場合に、ゆっくりしたリトリーブにおいて、回転方向の反転を繰り返しながら運動し、高速リトリーブ時にはまったく回転しないという効果が得られる。そして糸が縒れることがない。トゥイッチや高速回収などの操作を糸縒れを懸念することなく行うことができる。【選択図】図１
0003172297.tif 000002
【実用新案登録請求の範囲】
【請求項１】
一枚の板状プレートから成形されるスプーンタイプのルアーで、側面から見たときの形状として、波形の形状であることを特徴とし、波の数として少なくとも波の一周期分すなわち山と谷の部分を有する形状をしたルアー。
【請求項２】
波形の形状の前後に水平で平らな部分を有する、すなわち側面から見たときに波状の部分がおよそ水平となるような状態においてその波の前後に水平で平面状の部分を付加した形状の  請求項１に記載のルアー。
【請求項３】
波形トタンのような形状で、すなわち側面から見ると波形で側面から見た奥行き方向についてはまっすぐである形状の請求項１に記載のルアー。
【考案の詳細な説明】
【技術分野】
【０００１】  本考案は釣り具のルアーに関する。
【背景技術】
【０００２】  一枚のスチール板などから成形されるスプーンタイプのルアーを背景技術とする。
【考案の概要】
【考案が解決しようとする課題】
【０００３】  スプーンを水中で高速に動かした際に発生するスプーンの激しい回転を防止すると同時に、通常のリトリーブ時にはスプーンの大きな動きを実現することが本考案の課題である。
【課題を解決するための手段】
【０００４】  ボディに波状の部分を設ける。特に、波の形状として山１と谷２がおよそ点対称となるような形状である場合に、高速運動時のスプーンの回転を止める効果は大きい。山１の部分と谷２の部分で、回転の力を相殺するものと思われる。
【考案の効果】
【０００５】  高速リトリーブ時にスプーンが回転しない。それと同時に、通常のリトリーブ時には、左右に大きく揺れる運動、または方向を反転させながらの回転運動をして魚を誘う。ボディを細みにした場合に、ゆっくりしたリトリーブにおいて、回転方向の反転を繰り返しながら運動し、高速リトリーブ時にはまったく回転しないという効果が得られる。
そして糸が縒れることがない。トゥイッチや高速回収などの操作を糸縒れを懸念することなく行うことができる。
【図面の簡単な説明】
【０００６】
【図１】  本考案の斜視図
【図２】  本考案の側面図
【図３】  本考案の実施例の斜視図
【図４】  本考案の実施例の側面図
【考案を実施するための形態】
【０００７】  一枚の細長いおよそ長方形の板を波形に曲げた形態である。その長軸方向の両末端付近に穴を設けて、それぞれラインアイ３、フックアイ４とする。
【実施例】
【０００８】  図１、図２に示す。図２に示すように側面から見て波形の部分を有する。その前後に平面部５を設けることで、ルアーの動きはより安定する。波形の形状につていは、山１の部分と谷２の部分が必ずしも同じような形状と大きさである必要はないが、同じである場合に最も動きが安定して、高速リトリーブ時の回転も起こりずらい傾向がある。実際に高速リトリーブ時の回転を完全に防止することができる。
ルアーの幅と波の振幅が同程度である場合に、最も安定するものと観察される。さらに図１、図２に示したように、波の前後に四分の一波長程度の長さの平面部５を設けた形態とすることにより、水中でのルアーの揺らぎを生むとともに、高速リトリーブ時の回転を確実に防止して使いやすいスプーンが実現される。波形と平面部５の形状と大きさの加減でさまざまな調子のルアーを作ることができる。
山の高さ、すなわち波の振幅については、小さい場合においても、その効果はあるが、図１、図２に示した程度の大きさが使いやすいものと経験するところである。
前後の平面部５については、前後がともに水平で平行であることが重要である。前後が平行でない場合には回転が起こりがちであり、実際にはおよそ確実に回転がおこる。
また、平面部５を幾分か歪めて曲面としても効果は保たれるのであるが、その場合は、前後で、極率を反対にする。すなわち水平に置いた状態で片方を上側に凸とするなら他方は下側に凸とする。同じ側に凸とすると回転を起こす。
幅広であるほうがルアーの動きが安定する傾向が見られる。幅広の形状においては水中でルアーがゆらゆらと揺れる運動をするのに対して、幅の細い、全体として細長い形状とすると、水中で回転の向きを反転させながら回転する傾向となる。ただしその場合においても、高速リトリーブの際には回転しない。
ルアーを長くする場合には、波の数を増やし、波の振幅を大きくすることで高速リトリーブ時の回転を防ぐことが可能となる。波長に対して振幅を大きくすることで、回転を防止する効果は高めることができる。【０００９】  前後でおよそ対称な形とする。そうすることで、高速リトリーブ時の回転抑止の効果が高まる。スプーンタイプのルアーにおいては平面図においてティアドロップ型をしたものが多いが、本考案においては、前部が後部と同等の幅であるほうが効果が高い。【００１０】  波状の曲面の部分をカップ状に成形する。本考案は図１、図２に示すように、平面状のプレートを波形トタンのように曲げることで成形することが製作の原点であり、またそのシンプルな形状に面白みがあるとも思われ、また十分な効果が得られるのであるが、その凹凸をさらにカップ状とすることで、造型的によりアピール力のあるものとなるかもしれない。【００１１】  浮力体で作る。スプーンは金属で作ることが通常であるが、適度な浮力をもたせることで、ゆらゆらとした動きの効果を高めることができる。さらにフローティングタイプとすることも考えられる。その場合、本考案の形状においてはラインアイを先端から後方にずらせて配置して、平面部をリップとして作用させる。【００１２】  図３、図４に示す。本考案の形状をソフトルアーに用いる。スプーンと同様の形状のままであってもソフトルアーとして使用可能ではあるが、頭部６を設けることでより使いやすいものとなる。頭部６はある程度の厚みと体積を有する形状として、それに続くテール部７を波型とする。テール部７はスプーンの波型とおよそ同様の形状で、厚みの小さいリボン状とする。リボン状の部分が波形でなくてまっすぐであると、ルアーは回転しがちとなる。まっすぐな場合、実際のところ回転が激しくて実用に堪えない。そこを、波形とすることで回転を防止することができる。また厚みの少ないリボン状とすることで、魚の食い込みがよくなる。頭部にフックを装着した場合に、魚がテール部だけをかじってフッキングにいたらないというケースは頻繁に起こるのであるが、本考案のこの形状により、フッキング率を大幅に高めることができる。テール部７は水中において振動運動を起こすので、その動きが魚を誘う効果もあるものと思われる。また、ボディの大半をリボン状の部分とすることで、魚に対して、警戒感を与えない効果もあるものと思われる。
使用においては、頭部６にワーム用のフックを装着することが基本的な形である。また、ボディを小さくした場合、例えば全長５ｃｍ、頭部６の幅を１ｃｍ程度とした場合には、キャスト時の重量を確保するために、頭部６にネイルシンカーを挿入する。バイト率、フッキング率ともに極めて高い水準を実現できる。ネイルシンカーを頭部６に２本、左右対象に配置して、扁平なボディが水平となるような状態で使用すると、魚に対して最も効果的にアピールするものと観察される。テール部７の幅広の面が水平となることで、水中でひらひらと漂うような動きとなる。頭部６も図３に示すように、扁平として、ルアー全体を扁平なシルエットとすることで最良の効果が得られるものと観察される。
ジグヘッドに装着しての利用も可能である。その場合、ルアーが回転する心配はないのであるが、すれたバスに対しては、バイト率が下がる傾向が観察される。ネイルシンカーを用いて、波形のテールにより回転を防止することが最良と思われる。ルアーのサイズを小さくして異物感を極力排除した場合に本考案のソフトルアーとしての効果は最大に活かされるものと観察される
【産業上の利用可能性】
【００１３】  波形とすることで回転を防止する効果が得られると事実から、何かしら空力的、あるいは流体力学的なものへの利用可能性が期待される。たとえは、飛行機の翼、ボディ、あるいはプロペラなどの表面を波形とすることで、空力的により安定化するなどの効果もあるかもしれない。
【符号の説明】
【００１４】  １  山
２  谷
３  ラインアイ
４  フックアイ
５  平面部
６  頭部
７  テール部
【図１】
0003172297.tif 000003
【図２】
0003172297.tif 000004
【図３】
0003172297.tif 000005
【図４】
0003172297.tif 000006